(57)【特許請求の範囲】
【請求項１】
上端に大洗浄用および小洗浄用の操作部をそれぞれ設けるとともに下端を排水筒に連通させたケーシングと、
大洗浄用の操作部によって、前記ケーシング内に上下方向に回動自在に配置された一方の駆動リンクと、
当該駆動リンクに連接され下端に前記排水筒への流路に備えた弁座に着座する弁体とこの弁体の上方にフロートとを備えたインナースリーブと、
小洗浄用の操作部によって、前記ケーシング内に上下方向に回動自在に配置された他方の駆動リンクと、
当該駆動リンクに連接されるとともに前記インナースリーブに外挿され且つウェイターを設けたアウタースリーブとを備え、
前記アウタースリーブの下降時に前記インナースリーブに係合する係合部を前記ウェイターの上方に備えていることを特徴とするロータンク排水弁。
【請求項２】
前記係合部は前記インナースリーブに設けた突起と前記突起に係合可能に前記アウタースリーブに設けたカムとから構成されていることを特徴とする請求項１記載のロータンク排水弁。
【請求項３】
前記カムは、アウタースリーブに設けた枢軸に回動自在に連接されており、かつ枢軸の近傍に位置するピンにウェイトスリーブを回動自在に連接されており、
かつ、アウタースリーブが上方向に移動したときに前記ウェイトスリーブの自重がカムのピンに負荷されて、
前記カムが、枢軸を軸として回動してインナースリーブに設けた突起に係合することを特徴とする請求項２記載のロータンク排水弁。
【請求項４】
前記カムは、アウタースリーブに設けた横穴の中にスプリングで付勢されて、かつ、ケーシングガイドをまたいで配置されており、
アウタースリーブが上方向に移動したときに前記スプリングがカムに付勢されて、前記カムが前記ケーシングガイドに沿ってインナースリーブに設けた溝に係合することを特徴とする請求項２記載のロータンク排水弁。
【請求項５】
前記カムはアウタースリーブに設けた枢軸に回動自在に連接されて、かつ、ケーシングガイドに乗り上げて接しており、
さらにアウタースリーブが上方向に移動したときに前記カムが自重で、前記ケーシングガイドに沿って回転して、前記カムの係合用フック部がインナースリーブに設けた係合溝に係合することを特徴とする請求項２に記載のロータンク排水弁。
【請求項６】
前記操作部は前記一対の駆動リンクをそれぞれ圧下する一対の押しボタン式の操作ボタンを備え、これらの操作ボタンの間に隔壁を備えていることを特徴とする請求項１から３のいずれかに記載のロータンク排水弁。
【発明の詳細な説明】
【０００１】
【発明の属する技術分野】
本発明は、便器の洗浄水タンクに備えられ小洗浄及び大洗浄に切り換えて使用できるロータンク排水弁に関する。
【０００２】
【従来の技術】
従来から便器の洗浄水タンクにデュアル・フラッシュバルブ方式のロータンク排水弁が使用されている。このデュアル・フラッシュバルブ方式のロータンク排水弁は、洗浄水タンクの内部に組み込まれ小洗浄及び大洗浄のそれぞれの操作ボタンを洗浄水タンクの表面に配置したものである。
【０００３】
このようなデュアル・フラッシュバルブ方式のロータンク排水弁の例として、たとえば、米国特許明細書第５，６５７，４９４号や豪州特許明細書第６９２００９号に記載されたものがある。これらの明細書に記載のロータンク排水弁は、フロートとウェイターを備え、これらのフロート及びウェイターが水位を検知することで閉弁を制御可能としたものである。すなわち、大洗浄時ではフロートの位置まで水位が下がるとフロートによる浮力が減少して閉弁し、小洗浄時はウェイターと連結されているアウタースリーブがウェイター下方に位置するカム駆動でフロート上に乗り上げウェイターの位置までタンク内の水位が下がるとウェイターの重みが浮力に打ち勝って閉弁する。
【０００４】
【発明が解決しようとする課題】
ところが、カムはアウタースリーブの下端側に設けられているので、ウェイターを下方側に設けようとするとカムに干渉してしまう。したがって、ウェイターをある程度高いレベルに配置する必要がある。このようにウェイターを上側に配置してしまうと、小洗浄時の洗浄水量が減少してしまい充分な洗浄ができなくなってしまう。
【０００５】
そこで、本発明はカムをアウタースリーブの上端側に配置することにより小洗浄時の洗浄水量を確保できるデュアル・フラッシュバルブ方式のロータンク排水弁を提供することを目的とする。
【０００６】
【課題を解決するための手段】
本発明のロータンク排水弁は、上端に大洗浄用および小洗浄用の操作部をそれぞれ設けるとともに下端を排水筒に連通させたケーシングと、大洗浄用の操作部によって、前記ケーシング内に上下方向に回動自在に配置された一方の駆動リンクと、当該駆動リンクに連接され下端に前記排水筒への流路に備えた弁座に着座する弁体とこの弁体の上方にフロートとを備えたインナースリーブと、小洗浄用の操作部によって、前記ケーシング内に上下方向に回動自在に配置された他方の駆動リンクと、当該駆動リンクに連接されるとともに前記インナースリーブに外挿され且つウェイターを設けたアウタースリーブとを備え、前記アウタースリーブの下降時に前記インナースリーブに係合する係合部を前記ウェイターの上方に備えていることを特徴とする。
【０００７】
このような構成において、前記係合部は前記インナースリーブに設けた突起と前記突起に係合可能に前記アウタースリーブに設けたカムとから構成したものとすることができる。
【０００８】
前記カムは、アウタースリーブに設けた枢軸に回動自在に連接されており、かつ枢軸の近傍に位置するピンにウェイトスリーブを回動自在に連接されており、かつ、アウタースリーブが上方向に移動したときに前記ウェイトスリーブの自重がカムのピンに負荷されて、前記カムが、枢軸を軸として回動してインナースリーブに設けた突起に係合する構成とすることができる。
【０００９】
前記カムは、アウタースリーブに設けた横穴の中にスプリングで付勢されて、かつ、ケーシングガイドをまたいで配置されており、アウタースリーブが上方向に移動したときに前記スプリングがカムに付勢されて、前記カムが前記ケーシングガイドに沿ってインナースリーブに設けた溝に係合する構成としてもよい。
【００１０】
前記カムはアウタースリーブに設けた枢軸に回動自在に連接されて、かつ、ケーシングガイドに乗り上げて接しており、さらにアウタースリーブが上方向に移動したときに前記カムが自重で、前記ケーシングガイドに沿って回転して、前記カムの係合用フックがインナースリーブに設けた係合溝に係合する構成としてもよい。
【００１１】
前記操作部は前記一対の駆動リンクをそれぞれ圧下する一対の押しボタン式の操作ボタンを備え、これらの操作ボタンの間に隔壁を備えた構成としてもよい。
【００１２】
【発明の実施の形態】
本発明では、インナースリーブを上昇させることによって弁体を弁座から離して開弁することができ、インナースリーブだけを大洗浄用の操作部によって上昇させた後には開弁によってタンク内の水位が下がり、この水位がフロートの位置よりも下がるとインナースリーブの自重と排水力がフロートの浮力に打ち勝って、インナースリーブは下降して弁体を弁座に着座させて閉弁することができる。この場合、タンク内の貯留水がフロートの近傍位置まで排水されるので、大洗浄の操作となる。
【００１３】
一方、小洗浄用の操作部によって、アウタースリーブを上昇させるとインナースリーブも同時に上昇する構成とすることによって弁体を弁座から離して開弁することができる。この開弁の後にはウェイター内の水の重量を利用してアウタースリーブを下降させると共に係合部によってインナースリーブにもウェイターの水の重量が負荷されることで、水位がウェイターの近傍位置にきたときに閉弁することができ、小洗浄が可能となる。
【００１４】
係合部を、前記インナースリーブに設けた突起と前記突起に係合可能に前記アウタースリーブに設けたカムとから構成したものでは、アウタースリーブが下降するときにカムが係合部に係合してアウタースリーブと一体としてインナースリーブを下降させることができる。
【００１５】
カムをウェイトスリーブに回動自在に連接したものでは、カムの回動をウェイトスリーブによって確実に係合及び係合解除を行うことができ、大小洗浄の切替をすることができる。
【００１６】
カムをスプリングで付勢したものでは、簡単な機構で確実に係合及び係合解除をすることができ、大小洗浄の切替をすることができる。
【００１７】
カムを自重で回動自在としたものでは、カムの自重を利用することにより簡単な機構で確実に係合及び係合解除をすることができ、大小洗浄の切替をすることができる。
【００１８】
また、一対の駆動リンクをそれぞれ圧下する一対の押しボタン式の操作ボタンを備え、これらの操作ボタンの間に隔壁を備えた操作部を備えるものでは、小洗浄と大洗浄の際の操作ボタンを同時に押すことがなくなる。
【００１９】
【実施例】
図１は本発明のデュアル・フラッシュバルブ方式のロータンク排水弁を洗浄水タンクに備えた例を示す要部の縦断面図である。
【００２０】
図において、洗浄水タンクの上端壁１０１（別体のタンク蓋でもよい）と下端壁１０２との間にロータンク排水弁１が組み込まれている。このロータンク排水弁１は上端壁１０１に組み込んだ操作部２とケーシング３とから構成されたものである。
【００２１】
操作部２はハウジング２ａの内部に隔壁２ｂを挟んで配置した大洗浄用ボタン２ｃと小洗浄用ボタン２ｄとを備えたもので、大洗浄用ボタン２ｃ及び小洗浄用ボタン２ｄのそれぞれにロッド２ｅ，２ｆを連結している。なお、大洗浄用ボタン２ｃと小洗浄用ボタン２ｄとの間には隔壁２ｂが位置し、この隔壁２ｂによってこれらのボタン２ｃ，２ｄとの間が遮断される。したがって、大洗浄用ボタン２ｃと小洗浄用ボタン２ｄを同時押しすることがなくなる。
【００２２】
ケーシング３はその下端側に隔壁３ａを形成するとともに下端に排水筒４を備えたもので、この排水筒４を洗浄水タンクの下端壁１０２に開けた開口１０２ａに差し込んでいる。排水筒４からの洗浄水は便器本体（図示せず）に供給される。なお、ケーシング３の周壁には、図１７の外観図に示すように、洗浄水タンク内に連通する開口３ｂを開けておき、この開口３ｂからケーシング３内に水が流入する構成とする。
【００２３】
ケーシング３の上端にはロッド２ｅ，２ｆに対向する位置に中間スイッチ５ａ，５ｂを備える。これらの中間スイッチ５ａ，５ｂは圧縮のスプリング５ｃ，５ｄによってロッド２ｅ，２ｆ側に付勢されたものである。
【００２４】
ケーシング３の内部には支軸６が固定され、この支軸６周りに一対の駆動リンク７，８が回転自在に保持されている。そして、駆動リンク７，８にはそれぞれ操作アーム９，１０が連接されている。
【００２５】
操作アーム９の下端にはインナースリーブ１１を連接するとともに、操作アーム１０の下端にはアウタースリーブ１２を連接する。インナースリーブ１１は上端側に突起１１ａを形成するとともに下端に弁体としてのパッキン１１ｂを備え更にこのパッキン１１ｂの上方にフロート１１ｃを形成したものである。アウタースリーブ１２は下端に水を溜めておくことができる桶状のウェイター１２ａを備えるとともに、上端側にカム１３を上下方向に回動自在に備えている。そして、アウタースリーブ１２の下端側にはウェイトスリーブ１４を外挿している。ウェイトスリーブ１４にはアウタースリーブ１２の外面に沿ってカム１３部分まで伸びるアーム１４ａを一体に連結している。
【００２６】
カム１３は図２の拡大図に示すようにアウタースリーブ１２に設けた枢軸１２ｂに回転自在に連接され、Ｕ字状の先端部にはアーム１４ａの上端に設けたピン１４ｂが連接されている。そして、静止位置にあるときには、操作アーム９の下端９ａとアウタースリーブ１２の上端１２ｃの間に隙間ができるような部材の位置関係としている。
【００２７】
以上の構成において、大洗浄するときには大洗浄用ボタン２ｃを押す。これにより図３に示すように中間スイッチ５ａが押し下られ、駆動リンク７を支軸６周りに時計方向に回動させる。この駆動リンク７の回動によって操作アーム９が上に持ち上げられ、インナースリーブ１１を上に引き上げる。そして、このインナースリーブ１１の上昇により、パッキン１１ｂが排水筒４の上端の弁座４ａから離れて開弁する。この開弁によってタンク内に最高水位まで貯留されていた水が排水筒４から便器側へ排水され、便器洗浄が行われる。パッキン１１ｂの上昇による開弁の後には、タンク内の水位が次第に下がっていき、大洗浄に必要な洗浄水が排水筒４から排水されて、フロートの位置よりも水位が下がるとインナースリーブ１１の自重と排水力がフロートの浮力に打ち勝って、インナースリーブ１１は降下してパッキン１１ｂを弁座４ａに着座させて閉弁する。以上の行程により大洗浄が行われ、洗浄に必要な流量の洗浄水が便器側に供給される。
【００２８】
次いで、小洗浄するときには図１の静止状態において小洗浄用ボタン２ｄを押す。これにより、図４に示すように駆動リンク８が支軸６周りに反時計方向に回動して操作アーム１０を上昇させる。これにより、アウタースリーブ１２が上昇する。そして、図２で示したアウタースリーブ１２の上端１２ｃが操作アーム９の下端９ａに突き当たる状態となるとき、ウェイトスリーブ１４はその自重により図１の位置に止まろうとするので、カム１３は枢軸１２ｂ周りに反時計方向に回動して姿勢を変える。
【００２９】
小洗浄用ボタン２ｄを図５に示すようにフルストロークまで押し下げていくと、操作アーム１０の上昇に伴ってアウタースリーブ１２とインナースリーブ１１が同時に上昇する。このインナースリーブ１１の上昇によりパッキン１１ｂが弁座４ａから離れて開弁し、タンク内の水が排水筒４から便器側に供給される。洗浄水の排水の期間ではフロート１１ｃによる浮力によってインナースリーブ１１とアウタースリーブ１２は図５の位置に保持され、タンク内の水位の降下により、図６に示すようにアウタースリーブ１２はその自重とウェイター１２ａ内の水の重さによって下降を始める。そして、この下降により、図６に示すようにカム１３がインナースリーブ１１の突起１１ａに係合する。
【００３０】
カム１３と突起１１ａの係合によって、アウタースリーブ１２の自重とウェイター１２ａの中の水の重さがインナースリーブ１１に伝達され、図７に示すようにアウタースリーブ１２と一体となってインナースリーブ１１が下降する。そして、図８に示すようにアウタースリーブ１２の下降によってウェイトスリーブ１４の下端がケーシング３に設けた隔壁３ａに着座する。さらにアウタースリーブ１２が下降して隔壁３ａに着座する。このアウタースリーブ１２の着座と同時に突起１１ａとカム１３の係合が解かれる。そして、図９に示すように更にインナースリーブ１１が下降するとパッキン１１ｂが弁座４ａに着座して給水が停止する。これによって、カム１３は元の姿勢に回動し、図１に示した静止状態に戻る。
【００３１】
以上のように小洗浄のときにはアウタースリーブ１２とともにインナースリーブ１１を上昇させてパッキン１１ｂを弁座４ａから離して開弁させることができる。そして、洗浄水の排水の後にはアウタースリーブ１２の自重とウェイター１２ａ内の水の重さを利用してアウタースリーブ１２に連動させてインナースリーブ１１を下降させることができ、大洗浄に比べて速く閉弁させることができる。また、カム１３とこれに係合する突起１１ａをウェイター１２ａの上方に配置しているので、ウェイター１２ａを従来例に比べて低いレベルに下げることができる。したがって、小洗浄のときの流量を確保することができ、確実な便器洗浄が可能となる。また、カム１３はアウタースリーブ１２の上端側に配置されているので、洗浄水タンク内での保守点検は上端壁１０１を開いて上方から簡単に行うことができる。
【００３２】
図１０以降はカムによる係合部の他の構成例を示す要部の図であり、先の例と同じ構成部材については共通の符号で指示しその詳細な説明は省略する。
【００３３】
図１０〜図１２はアウタースリーブにスプリングで付勢されたカムを備えた例である。
【００３４】
図において、操作アーム９，１０には先の例と同様にインナースリーブ１５及びアウタースリーブ１６がそれぞ連接されている。インナースリーブ１５とアウタースリーブ１６との間にはケーシング１７の筒部１７ａがあり、このケーシング１７の筒部１７ａに対してインナースリーブ１５及びアウタースリーブ１６は上下に移動自在な関係として連接されている。アウタースリーブ１６の上端部にはスプリング１８ａによってアウタースリーブ１６の中心方向に付勢されたカム１８を組み込んでいる。カム１８は同図の拡大図及び図１８の斜視図に示すように先端側をテーパ状に形成したものであり、インナースリーブ１５の外周に形成した係合溝１５ａの中に差し込み可能としたものである。なお、スプリング１８ａはアウタースリーブ１６の外面に設ける反力受け（図示せず）によって支持されたものとする。一方、ケーシング１７の筒部１７ａの上端部にはカム１８の先端部のテーパに整合する傾斜したガイド面１７ｂを形成している。
【００３５】
以上の構成において、静止時には図１０に示すようにカム１８の先端のテーパ部がガイド面１７ｂに突き当たった状態にある。ここで、大洗浄するときには先の例における大洗浄用ボタン２ｃを押し下げることにより、操作アーム９を上に移動させる。これにより図１１に示すようにインナースリーブ１５だけを引き上げることができ、このインナースリーブ１５の下端に設けるパッキンを排水筒の弁座から引き離すことにより開弁させる。この開弁により洗浄水が便器側に供給され、インナースリーブ１５は開弁後に、大洗浄に必要な洗浄水が排水筒から排水されて、フロートの位置よりも水位が下がるとインナースリーブ１５の自重と排水力がフロートの浮力に打ち勝って、インナースリーブ１５は降下してパッキンを弁座に着座させて閉弁して、図１０の静止位置に戻る。
【００３６】
小洗浄するときには、先の例において小洗浄用ボタン２ｄを押し下げることにより操作アーム１０を上昇させてアウタースリーブ１６を上昇させる。このアウタースリーブ１６の上昇により、図１２に示すようにアウタースリーブ１６はケーシング１７の筒部１７ａに対して相対的に上昇する。このため、テーパ面接合しているカム１８の先端面がガイド面１７ｂを上昇していき、同図の拡大図に示すようにカム１８の先端がインナースリーブ１５の係合溝１５によって係合する。したがって、アウタースリーブ１６と同時にインナースリーブ１５も上昇し、このインナースリーブ１５の下端のパッキンを弁座から引き離すことによって開弁することができる。そして、開弁後にはウェイター内の水の重さとアウタースリーブ１６とインナースリーブ１５の自重によって下降していき、大洗浄の場合よりも洗浄水の流量が小さくなるように閉弁する。このインナースリーブ１５及びアウタースリーブ１６の下降の際には、図１２の状態からカム１８のテーパ面がケーシング１７の筒部１７ａのガイド面１７ｂに案内されて図１０及び図１１の位置に設定される。したがって、カム１８に対してインナースリーブ１５は無縁となり、自重と排水力によって更に下降して図１０の静止状態に戻る。
【００３７】
この例においても、ウェイター（図示せず）をカム１８と係合溝１５ａとによる係合部より下側に位置させているので、係合部の保守点検が可能となるとともに小洗浄時での洗浄水の流量を  適正に確保することができる。
【００３８】
図１３〜図１６はアウタースリーブに重りを兼ねたカムを備えた例である。
なお、先の例と同じ構成部材については共通の符号で指示しその詳細な説明および図は省略する。
【００３９】
図１３において、操作アーム９，１０には先の例と同様にインナースリーブ１９及びアウタースリーブ２０がそれぞれ連接されている。インナースリーブ１９とアウタースリーブ２０との間にはケーシング２１の筒部２１ａがあり、このケーシング２１の筒部２１ａに対してインナースリーブ１９及びアウタースリーブ２０は上下に移動自在な関係として連接されている。アウタースリーブ２０の上端部には重りを兼ねたカム２２を組み込んでいる。カム２２は図１３の拡大図に示すように、枢軸２２ａによって上下方向に回動自在に連接されたもので、先端側を係合用フック部２２ｂとして形成したものである。一方、ケーシング２１の筒部２１ａの上端部にはカム２２の先端部が突き当たるガイド面２１ｂを形成している。
【００４０】
以上の構成において、静止時には図１３に示すようにカム２２の先端部がガイド面２１ｂに突き当たった状態にある。ここで、大洗浄するときには先の例における大洗浄用ボタン２ｃを押し下げることにより、操作アーム９を上に移動させる。これにより図１４に示すようにインナースリーブ１９だけを引き上げることができ、このインナースリーブ１９の下端に設けるパッキンを排水筒の弁座から引き離すことにより開弁させる。この開弁により洗浄水が便器側に供給され、インナースリーブ１９は開弁後に大洗浄に必要な洗浄水が排水筒から排水されて、フロートの位置よりも水位が下がるとインナースリーブ１９の自重と排水力がフロートの浮力に打ち勝って、インナースリーブ１９は降下してパッキンを弁座に着座させて閉弁して、図１３の静止位置に戻る。
【００４１】
小洗浄するときには、先の例において小洗浄用ボタン２ｄを押し下げることにより操作アーム１０を上昇させてアウタースリーブ２０を上昇させる。このアウタースリーブ２０の上昇により、図１５に示すようにアウタースリーブ２０はケーシング２１の筒部２１ａに対して相対的に上昇する。一方、インナースリーブ１９の上端側にアウタースリーブ２０の上端に突き当たり、これによってアウタースリーブ２０と同時にインナースリーブ１９が上昇し、このインナースリーブ１９の下端のパッキンを弁座から引き離すことによって開弁することができる。そして、アウタースリーブ２０の上昇によってカム２２はその自重によって図１５の姿勢から図１６の姿勢に変位し、カム２２の先端の係合用フック部２２ｂはインナースリーブ１９の外周面に形成した係合溝１９ａの中に入り込む。
【００４２】
開弁後にはウェイター内の水の重さとアウタースリーブ２０及びインナースリーブ１９の自重によって下降していき、大洗浄の場合よりも洗浄水の流量が小さくなるように閉弁する。このインナースリーブ１９及びアウタースリーブ２０の下降の際には、図１６のカム２２の姿勢からこのカム２２がガイド面２１ｂに接触していることによって枢軸２２ａ周りに時計方向に回動していき、図１６，図１５の順に変化して図１３の静止状態に復帰する。
【００４３】
この例においても、ウェイター（図示せず）をカム２２と係合溝１９ａとによる係合部より下側に位置させているので、係合部の保守点検が可能となるとともに小洗浄時での洗浄水の流量を適正に確保することができる。
【００４４】
なお、上述したいずれの実施例においても、インナースリーブ１１は、上下端部が開口された筒形状となっており、タンク内の貯水の水位がこのインナースリーブよりも高くなるとこのインナースリーブ１１を介して、便器内に排水するオーバーフロー機構を備えた構造となっている。
【００４５】
また、支軸６は水路を形成しており、大洗浄や小洗浄時の便器への排水後、便器のトラップに水を溜めて封水するために、この支軸６の水路からインナースリーブ１１を介して水を流すようにする。このような構成にすることで、従来のようにインナースリーブ１１に直接封水用の給水管を繋げる必要がなくなり、大洗浄や小洗浄時のインナースリーブ１１の上下可動をスムーズに行なうことができる。
【００４６】
【発明の効果】
請求項１の発明ではアウタースリーブとインナースリーブとを連動させて下降させるカムを、アウタースリーブ周りに配置するウェイターよりも上方に位置させているので、ウェイターのレベルを下げることができる。したがって、小洗浄時の場合でも便器側へ排水する洗浄水の量を多くすることができ、確実な便器洗浄が行える。また、カムをアウタースリーブの上端側に設けることができるので、洗浄水タンク内でのカムの保守点検を上方から簡単に行うことができる。
【００４７】
請求項２の発明では、アウタースリーブが下降するときにカムが突起に係合してアウタースリーブと同時にインナースリーブを下降させることができる。
【００４８】
請求項３の発明では、カムの回動をウェイトスリーブによって確実に係合および係合解除を行ない、大小洗浄の切替えを行なうことができる。
【００４９】
請求項４の発明では、カムをスプリングで付勢する構造としており、簡単な機構で確実に係合および係合解除をすることができ、大小洗浄の切替えを行なうことができる。
【００５０】
請求項５の発明では、カムの自重により回動させる構造としており、簡単な機構で確実に係合および係合解除をすることができ、大小洗浄の切替えを行なうことができる。
【００５１】
請求項６の発明では、操作ボタンどうしの間に隔壁を設けているので小洗浄と大洗浄の操作ボタンを同時に押すことがなくなり、誤動作を防止できる。
【図面の簡単な説明】
【図１】  本発明のデュアル・フラッシュバルブ方式のロータンク排水弁を洗浄水タンクに備えた例を示す要部の縦断面図。
【図２】  アウタースリーブ及びインナースリーブの上端部分の構成を示す要部の縦断面図。
【図３】  大洗浄のときの動作を示す要部の縦断面図。
【図４】  小洗浄のときのアウタースリーブの引き上げ開始の時期であってカムが突起と係合可能な状態になったときの要部の縦断面図。
【図５】  アウタースリーブとインナースリーブが共に上限まで持ち上がった状態を示す要部の縦断面図。
【図６】  アウタースリーブが自重とウェイター内の水の重さによって下降しカムが突起に接触した状態を示す要部の縦断面図。
【図７】  カムと突起との係合によってアウタースリーブとインナースリーブが共に下降しウェイトスリーブがケーシングの隔壁に着座した状態を示す要部の縦断面図。
【図８】  インナースリーブが自重と排水力とによって下降している状態を示す要部の縦断面図。
【図９】  引き続きインナースリーブが下降して初期の静止状態に至るまでの状態を示す要部の縦断面図。
【図１０】  アウタースリーブにスプリングで付勢されたカムを備える例であって、静止状態を示す要部の縦断面図。
【図１１】  図１０の例において大洗浄過程を示す要部の縦断面図。
【図１２】  図１０の例において小洗浄過程を示す要部の縦断面図。
【図１３】  アウタースリーブに自重によって姿勢を変更可能なカムを備える例であって、静止状態を示す要部の縦断面図。
【図１４】  図１３の例において大洗浄過程を示す要部の縦断面図。
【図１５】  図１３の例において小洗浄過程を示す要部の縦断面図。
【図１６】  図１３の例においてカムがインナースリーブの係合溝に入り込んだ状態を示す要部の縦断面図。
【図１７】  ケーシングの周壁に設けた開口を示す斜視図。
【図１８】  図１０の例におけるカムの斜視図。
【符号の説明】
１  ロータンク排水弁
２  操作部
２ａ  ハウジング
２ｂ  隔壁
２ｃ  大洗浄用ボタン
２ｄ  小洗浄用ボタン
２ｅ，２ｆ  ロッド
３  ケーシング
３ａ  隔壁
３ｂ  開口
４  排水筒
４ａ  弁座
５ａ，５ｂ  中間スイッチ
５ｃ，５ｄ  スプリング
６  支軸
７  駆動リンク
９  操作アーム
９ａ  下端
１０  操作アーム
１１  インナースリーブ
１１ａ  突起
１１ｂ  パッキン
１１ｃ  フロート
１２  アウタースリーブ
１２ａ  ウェイター
１２ｂ  枢軸
１２ｃ  上端
１３  カム
１４  ウェイトスリーブ
１４ａ  アーム
１４ｂ  ピン
１５  インナースリーブ
１５ａ  係合溝
１６  アウタースリーブ
１７  ケーシング
１７ａ  筒部
１７ｂ  ガイド面
１８  カム
１８ａ  スプリング
１９  インナースリーブ
１９ａ  係合溝
２０  アウタースリーブ
２１  ケーシング
２１ａ  筒部
２１ｂ  ガイド面
２２  カム
２２ａ  枢軸
２２ｂ  係合用フック部
【図１】
0004306146.tif 000002
【図２】
0004306146.tif 000003
【図３】
0004306146.tif 000004
【図４】
0004306146.tif 000005
【図５】
0004306146.tif 000006
【図６】
0004306146.tif 000007
【図７】
0004306146.tif 000008
【図８】
0004306146.tif 000009
【図９】
0004306146.tif 000010
【図１０】
0004306146.tif 000011
【図１１】
0004306146.tif 000012
【図１２】
0004306146.tif 000013
【図１３】
0004306146.tif 000014
【図１４】
0004306146.tif 000015
【図１５】
0004306146.tif 000016
【図１６】
0004306146.tif 000017
【図１７】
0004306146.tif 000018
【図１８】
0004306146.tif 000019